(57)【要約】【課題】使用者が支払う費用の多少に基づき、当ＣＤが再生する映像プログラムの内容を決定できる方法を提供する。例えばＣＤにある映画の映像を再生する時、その間に広告的性質をもつ映像の挿入が必要か否かを決める方法を提供する。【解決手段】本発明の方法は、完全なプログラムを構成する複数の映像・音声ファイル、及び複数のコマーシャルファイルを少なくとも一つメモリしたＣＤに適用し、（Ａ）再生ターミナル電子機器がサーバーからＣＤ再生プログラムを取得するステップと、（Ｂ）再生ターミナル電子機器は再生プログラムに基づきＣＤを再生するステップを含む。その再生プログラムは、ＣＤ中のいくつかの映像・音声ファイル、及びコマーシャルファイルに再生を指示するのに用いる。【選択図】　　　図１
2004023696.tif 000002
【特許請求の範囲】
【請求項１】
少なくとも一つの完全な番組を構成する複数の映像・音声ファイルと複数のコマーシャルファイルがメモリされているＣＤに適用し、ＣＤに記録される映像・音声ファイル及びコマーシャルファイルの再生をコントロールする方法において、（Ａ）再生ターミナル電子機器がサーバーからＣＤ用再生プログラムを取得するステップと、（Ｂ）再生ターミナル電子機器は再生プログラムに基づきＣＤを再生するステップを含むことと、その再生プログラムは再生するＣＤの映像・音声ファイルとコマーシャルファイルを表示し、再生するターミナル電子機器はパソコン、ノートブック型パソコン、情報家電などであることを特徴とするＣＤに記録される映像・音声ファイル及びコマーシャルファイルの再生をコントロールする方法。
【請求項２】
ＣＤ再生プログラムを受取るステップには、
（ａ１）サーバーが再生ターミナル電子機器から伝送されて来たＣＤの識別コードと再生選択データを受取るステップと；
（ａ２）サーバーがＣＤの識別コードと再生選択データに基づき、ＣＤの再生プログラムの内容を決定するステップと；
（ａ３）サーバーが再生ターミナル電子機器にステップ（ａ２）の再生プログラムを伝送するステップと；
（ａ４）再生ターミナル電子機器がステップ（ａ３）が伝送された再生プログラムを受取るステップと、を含むことを特徴とする請求項１に記載のＣＤに記録される映像・音声ファイル及びコマーシャルファイルの再生をコントロールする方法。
【請求項３】
ステップ（ａ１）の再生選択データには少なくともメンバー識別コード、メンバーパスワード、費用支払データ、鑑賞モードデータを含むことを特徴とする請求項２に記載のＣＤに記録される映像・音声ファイル及びコマーシャルファイルの再生をコントロールする方法。
【請求項４】
ＣＤはＶＣＤ／ＳＶＣＤ／ＤＶＤ中の一種の映像・音声ＣＤであることを特徴とする請求項１に記載のＣＤに記録される映像・音声ファイル及びコマーシャルファイルの再生をコントロールする方法。
【請求項５】
ＣＤに記録されている複数の映像・音声ファイルを暗号化処理することを特徴とする請求項１に記載のＣＤに記録される映像・音声ファイル及びコマーシャルファイルの再生をコントロールする方法。
【請求項６】
少なくとも一つの完全な番組を構成する複数の映像・音声ファイルと複数のコマーシャルファイルはメモリされているＣＤを再生する再生ターミナル電子機器において、サーバーから再生するＣＤの映像・音声ファイルとコマーシャルファイルを表示するＣＤ再生プログラムを取得する登録装置と、再生プログラムに基づいてＣＤを再生する再生装置とを含むことを特徴とするＣＤに記録される映像・音楽ファイルとコマーシャルファイルの再生をコントロールする一種の再生ターミナル電子機器。
【請求項７】
再生ターミナル電子機器はパソコン、ノートブック型パソコン、情報家電等であることを特徴とする請求項６に記載のＣＤに記録される映像・音楽ファイルとコマーシャルファイルの再生をコントロールする一種の再生ターミナル電子機器。
【請求項８】
登録装置がプログラム実施方式であり、プログラムにサーバーにＣＤの識別コードと再生選択データを伝送するプログラムと、サーバーから伝送された再生プログラムを受取るプログラムを含むことを特徴とする請求項６に記載のＣＤに記録される映像・音楽ファイルとコマーシャルファイルの再生をコントロールする一種の再生ターミナル電子機器。
【請求項９】
再生選択データに少なくともメンバー識別コード、メンバーパスワード、費用支払データ、鑑賞モードデータを含むことを特徴とする請求項８に記載のＣＤに記録される映像・音楽ファイルとコマーシャルファイルの再生をコントロールする一種の再生ターミナル電子機器。
【請求項１０】
再生装置はプログラム実施方式であることを特徴とする請求項６に記載のＣＤに記録される映像・音楽ファイルとコマーシャルファイルの再生をコントロールする一種の再生ターミナル電子機器。
【請求項１１】
ＣＤはＶＣＤ／ＳＶＣＤ／ＤＶＤ中の一種の映像・音声ＣＤであることを特徴とする請求項６に記載のＣＤに記録される映像・音楽ファイルとコマーシャルファイルの再生をコントロールする一種の再生ターミナル電子機器。
【請求項１２】
ＣＤに記録されている複数の映像・音声ファイルを暗号化処理することを特徴とする請求項６に記載のＣＤに記録される映像・音楽ファイルとコマーシャルファイルの再生をコントロールする一種の再生特徴とするターミナル電子機器。
【請求項１３】
少なくとも一つの完全な番組を構成する複数の映像・音声ファイルと複数のコマーシャルファイルがメモリされている、ＶＣＤ／ＳＶＣＤ／ＤＶＤ規格に符合するＣＤに適用し、ＣＤに記録される映像・音声ファイル及びコマーシャルファイルの再生をコントロールする方法において、少なくとも（Ａ）ＣＤに記録される複数の映像・音声ファイルと複数のコマーシャルファイルを隠しファイル処理する及び、この複数の映像・音声ファイルと複数のコマーシャルファイルを記録するリストを隠しリスト処理するステップと、（Ｂ）再生ターミナル電子機器でＣＤを再生するステップを含むことを特徴とするＣＤに記録される映像・音声ファイル及びコマーシャルファイルの再生をコントロールする方法。
【請求項１４】
再生ターミナル電子機器はパソコン、ノートブック型パソコン、情報家電等であることを特徴とする請求項１３に記載のＣＤに記録される映像・音声ファイル及びコマーシャルファイルの再生をコントロールする方法。
【発明の詳細な説明】
【０００１】
【発明が属する技術分野】
本発明は、映像・音声ファイルを有するＣＤの再生コントロールに関する方法で、特に使用者が支払う費用の多少に基づき、該ＣＤが再生する映像ファイルの内容を決定することができるものである。
【０００２】
【従来の技術】
ＣＤには大量のデータをメモリすることができ、且つそのコストが低いので、ＣＤが広告としての性質を有する映像メモリのメディアとなり、これを見れば商品が理解できるような内容を消費者に提供する。このような営業方法は、既に広く用いられている。しかしながら、この種類のＣＤは、メモリしている映像が全てコマーシャルであるか、或はセールスに関する内容である。ＣＤは無償で消費者に提供されるものであるだろうが、この商品に興味の無い消費者は、ＣＤを手に入れたいと強く希望しているわけではない。この為、ＣＤを広く大量に配布する有効な方法が無いのである。
【０００３】
本発明は上記の問題を解決する為、多くの消費者の興味を引く映像、例えば現在流行している映画の映像を、広告的性質を有する映像と組み合わせ、一緒にＣＤ上にメモリする。消費者の興味を引く誘因を有していることから、ＣＤを広く配布し大きな効果を得ることができる。同時に、消費者は自分で方式を選択することができる。費用を支払って映画の映像を鑑賞するか、低費用或いは無料で映画を鑑賞する以外に、間に挿入されるコマーシャル映像を鑑賞しなければならないかの方式である。
【０００４】
【発明が解決しようとする課題】
本発明は、使用者が支払う費用の多少に基づき、ＣＤが再生する映像プログラムの内容を決定できる方法を提供することを目的とする。例えばＣＤが映画映像の再生を行なっている時、その間に広告的性質をもつ映像の挿入が必要か否かを決める方法を提供することを目的とする。
【０００５】
【課題を解決するための手段】
本発明の目的を達成する為、本発明はＣＤに記録される映像・音声ファイル及びコマーシャルファイルの再生をコントロールする方法を提供し、少なくとも一つの完全な番組を構成する複数の映像・音声ファイルと複数のコマーシャルファイルがメモリされているＣＤに適用する。本発明の方法には下記のステップを含む。（Ａ）再生ターミナル電子機器がサーバーからＣＤ用再生プログラムを取得する。その再生プログラムは再生するＣＤの映像・音声ファイルとコマーシャルファイルを表示する。再生するターミナル電子機器はパソコン、ノートブック型パソコン、情報家電などである。（Ｂ）再生ターミナル電子機器は再生プログラムに基づきＣＤを再生する。
【０００６】
本発明のもう一つの目的は、ＣＤにある映像・音声ファイルとコマーシャルファイルの再生をコントロールする方法を提供する。この方法はＶＣＤ／ＳＶＣＤ／ＤＶＤの音声・映像ＣＤ規格に符合し、少なくとも一つの完全な番組を構成する複数の映像・音声ファイルと複数のコマーシャルファイルがメモリされているＣＤに用いる。この方法には次のステップを含む。（Ａ）ＣＤ中の複数の映像・音声ファイルと複数のコマーシャルファイルを隠しファイルとする処理を行なう。また、メモリされている複数の映像・音声ファイルと複数のコマーシャルファイルのリストを隠しリストとする処理を行なう。（Ｂ）再生ターミナル電子機器でＣＤを再生させる。再生ターミナル電子機器とはパソコン、ノートブック型パソコン、情報家電、映像・音声ＣＤプレーヤーである。
【０００７】
更に、本発明は、ＣＤにある映像・音楽ファイルとコマーシャルファイルの再生をコントロールする一種の再生ターミナル電子機器を提供する。この再生ターミナル電子機器は、少なくとも一つの完全な番組を構成する複数の映像・音声ファイルと複数のコマーシャルファイルがメモリされているＣＤに用いる。再生ターミナル電子機器には、登録装置と再生機器を含む。登録装置は、サーバーからＣＤ再生プログラムを取得する。その再生プログラムは、再生するＣＤの映像・音声ファイルとコマーシャルファイルを表示する。再生ターミナル電子機器とはパソコン、ノートブック型パソコン、情報家電等である。
【０００８】
【発明の実施の形態】
本発明の目的・特徴・効果をご理解いただく為、以下、具体的な実施例と添付の図面に基づき、本発明を詳しく説明する。ただし、これらの実施例は、本発明をより詳しく説明するものであり、本発明を限定するものではない。
【０００９】
図１は、本発明方法を実行して、サーバーと再生ターミナル電子機器がインターネットを通じて接続していることを示す略図である。図２は、再生ターミナル電子機器が本発明を実行したＣＤを再生していることを示す略図である。サーバー１０と少なくとも一つの再生ターミナル電子機器３０はインターネット２０（Ｉｎｔｅｒｎｅｔ）を通じて接続する。サーバー１０は再生ターミナル電子機器３０が伝送してきたコマンドを受取り処理し、その後、当コマンドに関連する再生プログラム５０を再生ターミナル電子機器３０に伝送する。サーバー１０のハードディスクなどに類するメモリ装置１０Ａは、各ＣＤ４０に対応する再生プログラム５０をメモリしている。再生プログラム５０が保存するメモリの内容は、少なくとも各ＣＤ４０に対応する映像ファイル名称と暗号解除キーである。
【００１０】
図３は、本発明を実施したＣＤのリスト構造図を示している。図３のＣＤ４０はＶＣＤ／ＳＶＣＤ／ＤＶＤの映像・音声フォーム規格の中の一つに符合する映像・音声ＣＤである。「ＭＰＥＧＡＶ」リストにある複数の映像・音声ファイル４０１の、「ＭＯＶＩＥ１．ＤＡＴ」、「ＭＯＶＩＥ２．ＤＡＴ」、「ＭＯＶＩＥ３．ＤＡＴ」、「ＭＯＶＩＥ４．ＤＡＴ」等は、映画に類する一つの完全な番組を構成している。「ＭＰＥＧＡＶ」リストにある複数のコマーシャルファイル４０３の、「ＣＦ１．ＤＡＴ」、「ＣＦ２．ＤＡＴ」、「ＣＦ３．ＤＡＴ」は各種商品の販売促進広告を行なうコマーシャル映像に類するものである。
【００１１】
図３のＣＤ４０は更に進んで、「ＭＰＥＧＡＶ」リストにある複数の映像・音声ファイル４０１と、複数のコマーシャルファイル４０３に暗号化処理を行なうことができる。暗号化処理されたＣＤ４０は、対応する再生プログラム５０に組み合わされた後、再生ターミナル電子機器３０において再生を実行することができる。図４のＡは再生プログラムのデータ構造図を示し、図４のＢは図４のＡの具体的実施例を示している。再生プログラム５０はＣＤ４０にあるどの映像・音声ファイル４０１とコマーシャルファイル４０３を再生するかを表示している。再生プログラム５０のＣＤ識別コード５０１は、それぞれのＣＤ４０を識別し区分するために用いる。少なくとも一つ以上の記録５０２は「ＭＰＥＧＡＶ」リストにあるどの映像・音声ファイル４０１が再生するかを指示する。また、映像ファイル名５０２Ａは、映像・音声ファイル４０１の再生指示に用いる正式なファイル名称であり、暗号解除キー５０２Ｂは対応する再生映像ファイルの暗号を解除し、元の資料に還元するキーである。図４のＢの再生プログラム５０は、図３のＣＤ４０のＣＤ識別コード５０１が「ＶＥＬ００１」であることを具体的に説明している。合計で三つの記録５０２があり、「ＭＯＶＩＥ１．ＤＡＴ」と「ＫＥＹ１２３」、「ＣＦ１．ＤＡＴ」と「ＫＥＹ４５６」、「ＭＯＶＩＥ２．ＤＡＴ」と「ＫＥＹ７８９」のそれぞれ映像ファイルを再生する。
【００１２】
図５は、ＣＤの再生コントロールのフロー図を示している。ステップ（６０）は、再生ターミナル電子機器３０がサーバー１０からＣＤ４０の再生プログラム５０を取得するステップである。ステップ（６１）は、再生ターミナル電子機器３０が再生プログラム５０に基づきＣＤ４０を再生するステップである。ステップ（６０）には、下記のステップ（６０Ａ）から（６０Ｄ）を含む。ステップ（６０Ａ）は、サーバー１０が再生ターミナル電子機器３０から伝送されて来たＣＤ４０の識別コード５０１と再生選択データ７０を受取る。ステップ（６０Ｂ）は、サーバー１０がＣＤ４０の識別コード５０１と再生選択データ７０に基づき、ＣＤ４０の再生プログラム５０の内容を決定する。ステップ（６０Ｃ）は、サーバー１０が再生ターミナル電子機器３０にステップ（６０Ｂ）の再生プログラム５０を伝送する。ステップ（６０Ｄ）は、再生ターミナル電子機器３０がステップ（６０Ｃ）で伝送された再生プログラム５０を受取る。
【００１３】
図６は、再生選択データのデータ構造図を示している。再生選択データ７０には少なくともメンバー識別コード７０１、メンバーパスワード７０３、費用支払データ７０５、鑑賞モードデータ７０７を含む。そのうち、メンバー識別コード７０１とメンバーパスワード７０３は主にメンバーを特定し識別するために用いる。費用支払データ７０５は具体的に方法を実施する際、クレジットカード番号を提示して、オンラインクレジットを行なうか、直接引き落とす方法を採用することができる。鑑賞モードデータ７０７は具体的に実施する際、「クリアなコマーシャルを鑑賞する」、又は「（映画）鑑賞の邪魔をしてはならない」等の提示される選択項目を採用することができる。ＣＤ４０に用いる識別コード５０１は具体的に実行する際には、シリアルＮｏ．を採用し、これをＣＤ４０の上に印刷する。サーバー１０はＣＤ４０の識別コード５０１と再生選択データ７０に基づき、ＣＤ４０の再生プログラム５０の内容を決定することができる。再生ターミナル電子機器３０は再生プログラム５０の内容に基づき、鑑賞を「邪魔をしてはならない」とされたコマーシャルファイル４０３は再生せずにＣＤ４０の再生を行なう。また、「クリアなコマーシャルを鑑賞する」モードを挿入されたコマーシャルファイル４０３を再生する。図７は電子機器で再生する際に、再生選択データをインプットする操作画面を示している。
【００１４】
上記の再生ターミナル電子機器３０の具体的な実施方法はパソコン、ノートブック型パソコン、情報家電等々とすることができる。例えばパソコンでは、現有するブラウザソフトの実行に利用するソフトを登録装置とし、オンラインでサーバー１０からＣＤ４０に用いる再生プログラム５０取得する。続いてパソコン上で、再生プログラム５０に合わせて暗号解除を実行し、対応するＣＤ４０をプレーヤーソフトに類似する再生装置で再生することが出きる。また、パソコンでは上記のソフトに整合する手段で実現した、登録装置と再生装置の整合的なソフトウェアプラットフォームを実行することができる。
【００１５】
また、図３のＣＤ４０は更に、「ＭＰＥＧＡＶ」リストと「ＭＰＥＧＡＶ」にある複数の映像・音声ファイル４０１とコマーシャルファイル４０３の暗号化処理をせず、隠しリストと隠しファイルにする処理を行なうことができる。隠しリストと隠しファイルの処理を行なったＣＤ４０は、同時にＶＣＤ／ＳＶＣＤ／ＤＶＤ映像・音声ＣＤプレーヤーで再生することができる。またパソコンのような電子機器上で、マイクロソフト社のウィンドウズ（登録商標）メディアプレーヤー（Ｗｉｎｄｏｗｓ（登録商標）　Ｍｅｄｉａ　Ｐｌａｙｅｒ）、或はＰｏｗｅｒ　ＤＶＤプレイヤーなどの類似再生ソフトで実行ができる。隠しリストと隠しファイル処置されたＣＤ４０は、映像のファイル名称を表示することはできない。上記の再生ソフトは、ファイルの鑑賞モードを選択できないことから、コマーシャルファイルをスキップできず、全ての映像・音声ファイル４０１とコマーシャルファイル４０３を見なければならない。再生プログラム５０は隠しリストと隠しファイル処理をされたＣＤ４０に合わせて暗号解除キー５０２Ｂをブランク（Ｂｌａｎｋｓ）で利用することができ、解除し元の資料に還元することが無く、再生できることを示している。
【００１６】
以上は本発明について詳細に説明したが、上記の説明は本発明の比較的良好な実施例にすぎず、本発明の実施範囲を制限するものではない。
【図面の簡単な説明】
【図１】図１は本発明の方法を実行して、サーバーと再生ターミナル電子機器がインターネットを通じて接続していることを示す略図である。
【図２】図２は再生ターミナル電子機器が本発明を実行したＣＤを再生していることを示す略図である。
【図３】図３は本発明を実施したＣＤのリスト構造図を示している。
【図４】Ａは再生プログラムのデータ構造図を示している。Ｂは図４のＡの具体的実施例を示している。
【図５】図５はＣＤの再生コントロールに用いるフロー図を示している。
【図６】図６は再生選択データのデータ構造図を示している。
【図７】図７は電子機器で再生する際に、再生選択データをインプットする操作画面を示している。
【符号の説明】
１０　サーバー
２０　インターネット
３０　再生ターミナル電子機器
４０　ＣＤ
４０１　映像・音声ファイル
４０３　コマーシャルファイル
５０　再生プログラム
５０１　ＣＤ識別コード
５０２　記録
５０２Ａ　映像ファイル名
５０２Ｂ　暗号解除キー
７０　再生選択データ
７０１　メンバー識別コード
７０３　メンバーパスワード
７０５　費用支払データ
７０７　鑑賞モードデータ
【図１】
2004023696.tif 000003
【図２】
2004023696.tif 000004
【図３】
2004023696.tif 000005
【図４】
2004023696.tif 000006
【図５】
2004023696.tif 000007
【図６】
2004023696.tif 000008
【図７】
2004023696.tif 000009